(57)【要約】【課題】商品収納袋に投入した商品の周囲を保持することで、上下に長い容器のような商品を複数本収納しようとした場合にも倒れるようなことなく縦の姿勢で整列して収納することができる商品収納袋取り出し機の袋底部支持装置を提供する。【解決手段】商品収納袋の取り出し機の下部位置に取付ける取付けプレート４１の下端部に、袋の底部を支持する底板４２を設け、この底板４２の先端部に前側障壁部材４３を枢着し、前記底板４２上の両側端部に、前側障壁部材４３の起伏回動に連動して作動するリンク機構４４を設け、このリンク機構４４の揺動リンク５２と前側障壁部材４３の間に前側障壁部材４３を起立位置に復帰させるための引き戻しスプリング５９と緩衝用スプリング６０を張設する。【選択図】図１
2006082819.tif 000002
【特許請求の範囲】
【請求項１】
上部両側に提げ手と上部中央に舌片を有し、上部両側と舌片とに夫々吊り下げ用の孔を設けた商品収納袋を、この各吊り下げ用の孔を利用して前記袋の取り付け機構で吊り下げ状に保持し、吊り下げた最前部商品収納袋の口部を開口させた状態でこの商品収納袋内に商品を投入するようにした商品収納袋の取り出し機に装着する袋底部支持装置であり、
前記商品収納袋の取り出し機の下部位置に取付ける取付けプレートの下端部に、この取付けプレートから前方に向けて突出し、袋の底部を支持する底板を設け、この底板の先端部に起立状態から前方に伏倒可能な前側障壁部材を枢着し、前記底板上の両側端部に、前側障壁部材の起伏回動に連動して作動するリンク機構を設け、このリンク機構が、上端側に設けた長さ方向の長孔を取付けプレートの支持軸に嵌合し、支持軸を支点とする回動と長さ方向への移動が可能となる揺動リンクと、この揺動リンクの途中と前側障壁部材の上端部を枢止連結し、前側障壁部材の起伏回動で揺動リンクを前後に揺動させる連杆とで形成され、前記揺動リンクと前側障壁部材の間に前側障壁部材を起立位置に復帰させるためのスプリングを張設した商品収納袋取り出し機の袋底部支持装置。
【請求項２】
上記前側障壁部材が、両側の支持杆に複数本の回転軸を平行状に架設して形成されている請求項１に記載の商品収納袋取り出し機の袋底部支持装置。
【請求項３】
上記リンク機構は、揺動リンクの下端部に底板上を転動するローラが設けられ、両側の揺動リンクが、底板上を移動可能となる接続杆で下端部を連結し、同調して揺動するよう連動されている請求項１又は２に記載の商品収納袋取り出し機の袋底部支持装置。
【請求項４】
上記スプリングは、前側障壁部材と連杆の枢止部に一端を係止し、他端を揺動リンクの途中で連杆の枢止点よりも上部の位置に係止した引き戻しスプリングと、前側障壁部材の途中に一端を係止し、他端を揺動リンクと連杆の枢止部に係止した緩衝用スプリングの組み合わせによって形成されている請求項１乃至３の何れかに記載の商品収納袋取り出し機の袋底部支持装置。
【発明の詳細な説明】
【技術分野】
【０００１】
この発明は、スーパマーケットやドラッグストアー等における小売店の会計カウンターの近くに設置し、会計のオペレータが計算後の商品を商品収納袋に直接投入して購入者に手渡すことができるようにした商品収納袋の取り出し機において、この取り出し機の下部に取付け、商品収納袋に投入された重量のある商品を安定よく支持すると共に、商品の入った袋を容易に取出すことができるようにした袋底部支持装置に関する。
【背景技術】
【０００２】
近年、スーパマーケットやドラッグストアー等での、商品の購入後における商品収納袋への収納方式は、会計のオペレータが計算後の商品を別の収納係の者に渡し、この収納係が商品を収納袋に直接収納する作業を行い、商品の入った収納袋を購入者に手渡す方式が顧客サービスとして行われている。
【０００３】
このような商品の入った収納袋を購入者に手渡す方式は、設備費の軽減と店内スペースの有効利用が図れると共に、収納袋に商品を入れた後、収納袋の上部開口を粘着テープで封をして渡すことができ、このように、上部開口を封止すると、購入者が会計での支払いを済ませたあと、再び売り場に戻って新たな商品を収納袋に投入し、その商品の料金を支払わずに持ちかえる万引きを防ぐ効果があり、従来から手をやいていた万引きの防止を露骨に示すことなく防止できるという効果があり、このような方式に対応することができる商品収納袋の取り出し機は既に本出願人によって提案されている。
【０００４】
上記の既に提案された商品収納袋の取り出し機は、ベース上に回転可能となるよう立設した支柱と、上記支柱に装着した複数の袋取り付け機構と、商品収納袋の下部を支持する袋底部支持板との組み合わせからなり、前記袋取り付け機構は、上部両側に提げ手と上部中央に舌片を有し、この舌片の下部に引き用つまみ片を設けた商品収納袋を吊り下げ状に保持できるよう、上部両側に上記提げ手に設けた孔の掛け吊り軸と、上部の中央に上記舌片に設けた孔の掛け吊り軸とをそれぞれ突設した構造となり、また、袋底部支持板は、商品収納袋に投入された商品の重量を支持するようになっている。
【０００５】
このような商品収納袋の取り出し機は、ベース台上に起立する支柱の周囲に複数の袋取り付け機構を設け、各袋取り付け機構に該当するサイズの商品収納袋を多数枚の重なり状態で吊り下げ状に取り付け、これをスーパマーケットやドラッグストアー等での、商品の会計カウンター部分でオペレータの作業範囲の近傍に設置する。
【０００６】
上記袋取り付け機構に対して商品収納袋は、上部両側の掛け吊り軸に提げ手の孔を嵌挿し、舌片に設けた孔を中央の掛け吊り軸に嵌挿することにより、吊り下げ状に取り付け、商品収納袋の下端は袋底部支持板により支持する。
【０００７】
このような状態で、購入したい商品を籠に入れて会計カウンターに持ち込むと、オペレータは袋取り付け機構の上部を手で押すことにより回転させ、商品の量に応じた大きさの商品収納袋を手前の位置に臨ませ、一番手前に位置するこの商品収納袋の外面に位置する一枚の引き用つまみ片を手前に引いて舌片を切れ目の部分から切断すると共に、この引き用つまみ片で商品収納袋の上端を手前に引くようにする。
【０００８】
これによって、商品収納袋の口部が開くことになり、会計のオペレータは籠から取り出した商品の値段を計算したのち、この商品を商品収納袋内に投入する。このようにして商品の値段を計算した商品を順次商品収納袋内に入れ、全商品の投入が終わって会計が済むと、オペレータは両側の提げ手を持って袋を持ち上げ手前に引くと、袋は上部両側の掛け吊り軸から孔を引き離され、この持ち上げと手前に引くことで舌片に設けた孔も中央の掛け吊り軸から切り離されるので、商品収納袋の口部を粘着テープで封止した状態で、商品の入った商品収納袋を購入者に手渡せばよい（例えば、特許文献１参照）。
【０００９】
ところで、上記商品収納袋に対する商品の投入時において、例えば、飲料がペットボトルのような上下に長い容器に入った商品は、ランダムに投入すると嵩張るだけでなく、収納形態が見苦しくなるため、商品収納袋内に縦の姿勢で整列して収納することが要望されている。
【００１０】
上記の商品収納袋の取り出し装置は、商品収納袋の下部をフラットな袋底部支持板で支持するようにしているので、掛け吊った商品収納袋に投入した商品の重量を支持することができ、商品収納袋の掛け吊った部分に過度な力がかからないようにし、吊り下げた商品収納袋が商品の重量で離脱することがないようにできるという機能はある。
【特許文献１】特開２００１−３１５７２６号公報
【発明の開示】
【発明が解決しようとする課題】
【００１１】
しかし、フラットな袋底部支持板は、商品収納袋に投入した商品の周囲を保持する機能がないため、上下に長い容器のような商品は、袋底部支持板上において起立状態が極めて不安定な状態となり、特に前記商品を複数本収納しようとした場合は倒れ易いという点で改善の余地がみられた。
【００１２】
また、商品を収納した袋取り付け機構から袋を取り出す時に、商品が倒れないようにしながら袋を取り外す必要があり、袋を取り出す際の作業に気を使わなければならない。
【００１３】
そこで、この発明は、商品収納袋に投入した商品の周囲を保持することができ、上下に長い容器に入った商品を複数本収納しようとした場合にも倒れるようなことなく、商品収納袋内に縦の姿勢で整列して収納することができ、しかも、商品を収納した袋の取出しが気をつかうことなく容易に行える商品収納袋取り出し機の袋底部支持装置を提供することにある。
【課題を解決するための手段】
【００１４】
上記のような課題を解決するため、請求項１の発明は、上部両側に提げ手と上部中央に舌片を有し、上部両側と舌片とに夫々吊り下げ用の孔を設けた商品収納袋を、この各吊り下げ用の孔を利用して前記袋の取り付け機構で吊り下げ状に保持し、吊り下げた最前部商品収納袋の口部を開口させた状態で、この商品収納袋内に商品を投入するようにした商品収納袋の取り出し機に装着する袋底部支持装置であり、前記商品収納袋の取り出し機の下部位置に取付ける取付けプレートの下端部に、この取付けプレートから前方に向けて突出し、袋の底部を支持する底板を設け、この底板の先端部に起立状態から前方に伏倒可能な前側障壁部材を枢着し、前記底板上の両側端部に、前側障壁部材の起伏回動に連動して作動するリンク機構を設け、このリンク機構が、上端側に設けた長さ方向の長孔を取付けプレートの支持軸に嵌合し、支持軸を支点とする回動と長さ方向への移動が可能となる揺動リンクと、この揺動リンクの途中と前側障壁部材の上端部を枢止連結し、前側障壁部材の起伏回動で揺動リンクを前後に揺動させる連杆とで形成され、前記揺動リンクと前側障壁部材の間に前側障壁部材を起立位置に復帰させるためのスプリングを張設した構成を採用したものである。
【００１５】
請求項２の発明は、請求項１の発明において、上記前側障壁部材が、両側の支持杆に複数本の回転軸を平行状に架設して形成されている構成を採用したものである。
【００１６】
請求項３の発明は、請求項１又は２の発明において、上記リンク機構は、揺動リンクの下端部に底板上を転動するローラが設けられ、両側の揺動リンクが、底板上を移動可能となる接続杆で下端部を連結し、同調して揺動するよう連動されている構成を採用したものである。
【００１７】
請求項４の発明は、請求項１乃至３の何れかの発明において、上記スプリングは、前側障壁部材と連杆の枢止部に一端を係止し、他端を揺動リンクの途中で連杆の枢止点よりも上部の位置に係止した引き戻しスプリングと、前側障壁部材の途中に一端を係止し、他端を揺動リンクと連杆の枢止部に係止した緩衝用スプリングの組み合わせによって形成されている構成を採用したものである。
【００１８】
ここで、複数の袋取り付け機構は、商品収納袋のサイズに合わせて両側掛け吊り軸の配置間隔の異なるものを支柱に取付け、この支柱の周囲にサイズの異なる商品収納袋を配置することができるようにすると共に、袋底部支持装置は、各袋取り付け機構の下方位置に高さの調節が可能となるよう配置され、袋取り付け機構に吊り下げた商品収納袋の下部を底板で支持することになる。
【００１９】
また、回転可能となる支柱と共に袋取り付け機構を回動させることにより、使用せんとするサイズの商品収納袋を手前の位置に臨ませることができ、掛け吊った商品収納袋の外面に位置する引き用つまみ片の最上位の一枚を手前に引けば、商品収納袋は口部が開いた状態となり、商品収納袋への商品の投入作業が簡単に行える。
【発明の効果】
【００２０】
請求項１の発明によると、袋の底部を支持する底板の周囲に、取付けプレートと前側障壁部材及び両側のリンク機構が枠状の配置となり、これによって、商品収納袋に投入した商品の周囲を倒れないように保持することができ、上下に長い容器のような商品を複数本収納しようとした場合にも倒れるようなことなく、商品を縦の姿勢で整列して袋内に収納することができることになる。
【００２１】
また、前側障壁部材が、リンク機構とスプリングによって起伏動可能になっているので、商品を収納した袋を手前に取出すだけで前側障壁部材が倒れ、取り出し時に袋を持ち上げるような動作が不要になるので、取り出し作業が容易になると共に、縦の姿勢で整列して収納した上下に長い商品の姿勢を崩すことなく袋の取り出しが行え、袋の取り出しが気をつかうことなく容易に行える。
【００２２】
請求項２の発明によると、前側障壁部材を両側の支持杆に複数本の回転軸を平行状に架設して形成したので、商品を収納した袋を手前に取出す時に、袋の移動に伴って回転軸が回転することになり、袋取り出し時の摩擦による抵抗の発生が少なくなり、袋の取り出しが円滑に行える。
【００２３】
請求項３の発明によると、リンク機構おける両側の揺動リンクを接続杆で連結し、両揺動リンクが同調し、かつ、ふらつきなく直線的に前後に揺動するよう連動したので、前側障壁部材の起伏動が左右でコジレを生じることなく円滑になり、袋取り出し時の伏倒や起立復帰の動作が確実に得られることになる。
【００２４】
請求項４の発明によると、前側障壁部材を起立位置に復帰させるためのスプリングを、前側障壁部材と連杆の枢止部に一端を係止し、他端を揺動リンクの途中で連杆の枢止点よりも上部の位置に係止した引き戻しスプリングと、前側障壁部材の途中に一端を係止し、他端を
揺動リンクと連杆の枢止部に係止した緩衝用スプリングの組み合わせによって形成したので、前側障壁部材の袋取り出し時における伏倒や取り出し後の起立復帰の動作を緩速に制御することができ、大きな衝撃を伴うことなく前側障壁部材の起立動作が得られることになる。
【発明を実施するための最良の形態】
【００２５】
以下、この発明の実施の形態を添付図面に基づいて説明する。
【００２６】
先ず、商品収納袋の取り出し機に取り付けて使用する商品収納袋Ａは、図８に示すように、ポリエチレン等の薄い合成樹脂のチューブを素材に用い、所定の長さに切断したチューブを両側に内方への折り込み部１、１を設けた状態で偏平に畳み、表シート２と裏シート３の下端側を溶着して閉鎖された底部４とし、この表シート２と裏シート３の上端側に両側に折り込み部１、１の一部を残して略逆Ｍ字状の如き切り欠き５を設けて上端を口部６とし、両側に残した折り込み部１、１が上端部を溶着した提げ手部７、７となっている。
【００２７】
上記のような商品収納袋Ａは、表シート２と裏シート３の口部における下縁の中央が上方に突出する舌片８となり、表シート２と裏シート３の上部両側で折り込み部１、１の内縁よりも少し内側の位置と、舌片８の上端のそれぞれに吊り下げ用の孔９、９と１０が三角形の配置で設けられ、両側吊り下げ用の孔９、９と表シート２及び裏シート３の上端縁の間に切れ目線１１が施され、更に、舌片８の孔１０から下の位置に先端側を容易に除去できるようにする切れ目線１２が横方向の全長にわたって設けてある。
【００２８】
また、提げ手部７、７は、上記折り込み部１、１の一部を含むように切り欠き５を施すことにより、折り込み部１、１の折り返し部分が握り孔１３になっている。
【００２９】
更に、商品収納袋Ａが大型の場合、提げ手部７、７の上端には、商品収納袋Ａの口部６を開口させた場合に両側提げ手部７、７の袋内への落ち込みをなくして折角大きく開口している口部６を何ら支障なく活用できるようにするための保持用孔１４と、この保持用孔１４から提げ手部７、７の外縁に達する切れ目線１５とが設けられている。
【００３０】
この商品収納袋Ａは、収納容量の異なる大きさのもの、具体的には幅と上下長さの異なるものが複数用意され、従って、サイズの異なる商品収納袋Ａは、両側に設けた吊り下げ用の孔９、９の間隔が異なることになる。
【００３１】
上記商品収納袋Ａの表シート２と裏シート３には、舌片８の直下で、両側の吊り下げ用の孔９、９を結ぶ線よりも少し下方の位置に、Ｕ字状の切れ目１６で囲んだ引き用つまみ片１７を設け、この引き用つまみ片１７を指先で摘んで手前に引くことで、舌片８の切れ目線１２から先端側の切断除去が簡単に行えるようになっている。
【００３２】
また、引き用つまみ片１７には、指先での挟持による単シート確認部１８が設けられ、表シート２の引き用つまみ片１７だけを確実に摘んで手前側に引くことができるようにしてある。
【００３３】
この単シート確認部１８は、カットエンドに防裂用の丸孔を施した、縦、横、斜め、Ｘ字、Ｕ字、Ｖ字等の各種スリットや溝のほか、孔、花模様やトランプ模様、会社のマーク等の各種図柄を採用することができ、引き用つまみ片１７を指先で挟持したときに、この単シート確認部１８によって、引き用つまみ片１７を挟んだ指先が密着接触している感触の場合は、一枚の引き用つまみ片を挟んでいることが確認でき、指先の密着接触する感触が得られない場合は、二枚又はそれ以上の引き用つまみ片１７を挟んでいることが確認でき、二枚又はそれ以上の引き用つまみ片１７を同時に引っ張ることがないようにするためのものである。
【００３４】
次に、商品収納袋の取り出し機２１は、図４乃至図６のように、ベース台２２上に回転可能となるよう垂直に立設した支柱２３と、この支柱２３の周囲に着脱可能となるよう吊り下げ状に取り付けた複数の袋取り付け機構２４とからなり、各袋取り付け機構２４の下部の位置に、袋取り付け機構２４に吊り掛けた商品収納袋Ａの下端部を支持する袋底部支持装置２５が配置されている。
【００３５】
上記袋取り付け機構２４は、金属線材を用いた上下に長い一対の矩形状枠体２６、２６と、この矩形状枠体２６、２６の上部に設けた三本の掛け吊り軸２７、２７及び２８と、この掛け吊り軸２７、２７及び２８に掛け吊った商品収納袋Ａの上部を下面側から支持する受け板３０と、商品収納袋Ａの上部を覆う蓋板３１とからなっている。
【００３６】
一対の矩形状枠体２６、２６は、内側縦棧の部分においてＶ字状の上部結合杆２６ａと下部結合杆２６ｂで平面的に両側へハ字状の配置となるよう結合し、両矩形状枠体２６、２６の内側縦棧の上端に設けたフック部３２を支柱２３の上端に係止することにより、支柱２３に取外し可能となるよう吊り下げ状に取付けられる。
【００３７】
両矩形状枠体２６、２６の外側縦棧の上端部に、商品収納袋Ａの上部両側に設けた吊り下げ用の孔９、９の掛け吊り軸２７、２７が平面的に回転可能となるよう取付けられ、上部結合杆の上面に商品収納袋Ａの舌片８に設けた吊り下げ用の孔１０の後部掛け吊り軸２８が突設されている。
【００３８】
上記した両側の掛け吊り軸２７、２７はＬ字状に形成され、平面的に回転させることで、両側掛け吊り軸２７、２７における配置間隔が可変となり、この掛け吊り軸２７、２７下端部にスプリング３３が外嵌され、上記後部掛け吊り軸２８の途中にもスプリング３４が外嵌され、各スプリング３３と３４により受け板３０を少し前下がりの傾斜状に支持するようになっている。
【００３９】
上記受け板３０は、平面的に略三角形に形成され、直線状となる前縁の中央位置に指先が通過できる程度の幅を有する切り欠き３５が設けられ、この受け板３０の前縁に近い両側の位置に、両側の掛け吊り軸２７、２７に嵌挿する孔３６、３６と、後部中央位置に後部掛け吊り軸２８に嵌挿する孔３７とが設けられている。
【００４０】
この受け板３０は、両側の孔３６、３６を掛け吊り軸２７、２７に嵌挿し、後端部の孔３７を後部掛け吊り軸２８に嵌め合わせて落とし込むと、下面が各スプリング３３と３４によって支持され、前縁が下がる緩い傾斜状の配置となり、両側の掛け吊り軸２７、２７は所定の間隔に固定化される。
【００４１】
上記受け板３０における両側の孔３６、３６の配置間隔は、吊り下げんとする商品収納袋Ａの両側吊り下げ孔９、９の間隔に一致するように設け、両側の掛け吊り軸２７、２７の間隔を商品収納袋Ａの両側吊り下げ孔９、９の間隔に合わせるものであり、従って、両側の孔３６、３６の配置間隔が商品収納袋Ａの各サイズに対応する受け板３０を用意し、吊り下げんとする商品収納袋Ａに適応する受け板３０を選んで使用すればよく、両側の掛け吊り軸２７、２７は間隔の調整が自由であるので、受け板３０の変化に対応することができる。
【００４２】
上記受け板３０は、掛け吊り軸２７、２７と２８に嵌め合わせて落とし込むと、直線状となるその前縁が両側の掛け吊り軸２７、２７から少し前方に突出し、各掛け吊り軸２７、２７と２８に掛け吊った商品収納袋Ａは、図６のように、受け板３０で上部下面側が前方下がりの傾斜状に支持され、受け板３０の前縁から突出する部分がこの前縁から垂下することになる。
【００４３】
ここで、商品収納袋Ａにおいて、商品収納袋Ａを各掛け吊り軸２７、２７と２８に掛け吊った状態で、引き用つまみ片１７を形成するＵ字状の切れ目１６は、その上端が受け板３０の前縁に臨むように位置が設定され、商品収納袋Ａの途中が受け板３０の前縁に沿って折れ曲がるが、図６のように、引き用つまみ片１７は折れ曲がることなく商品収納袋Ａの前方へ突出することにより、この引き用つまみ片１７が指先で摘みやすくなる。
【００４４】
上記受け板３０はスプリング３３と３４で支持されて上昇弾性が付勢されており、多数枚を重ねて各掛け吊り軸２７、２７と２８に掛け吊った商品収納袋Ａが消費されて厚みが薄くなっても、商品収納袋Ａが押し上げられることで、最上部商品収納袋Ａの位置を一定の高さレベルに保つことができ、これにより、商品収納袋Ａの枚数が減っても引き用つまみ片１７の高さ位置に変化がなく、指先での引き用つまみ片１７の摘み作業が同じように行える。
【００４５】
上記蓋板３１は、受け板３０と略同様の大きさと平面形状を有する略三角形に形成され、直線状となる前縁の中央位置に受け板３０と同様の切り欠き３８と、受け板３０で位置が決定された各掛け吊り軸２７、２７と２８に対応する嵌合孔３９が設けられ、後端部が支柱２３の上端開口部を覆う筒状キャップ４０に外接し、この蓋板３１で各掛け吊り軸２７、２７と２８に対する商品収納袋Ａの掛け吊り部分を隠蔽することができ、装置全体の外観の向上が図れるだけでなく、各掛け吊り軸２７、２７と２８から商品収納袋Ａ及び切り離されて残留する舌片８が上方へ抜け落ちるのを防止できる。
【００４６】
上記各切り欠き３５と３８は、商品収納袋Ａを掛け吊ったとき、引き用つまみ片１７の後部で上下に位置することになり、この切り欠き３５と３８の存在により、掛け吊った商品収納袋Ａの引き用つまみ片１７の立ち上がりが何らかの理由で、不十分であったり、一部垂れ下がるものがあったら、後方から指先で引き用つまみ片１７を前方に向けて押し出すことも簡単に行えることになる。
【００４７】
上記商品収納袋Ａの下端部を支持する袋底部支持装置２５は、図１乃至７のように、前記商品収納袋Ａの取り出し機２１の下部位置に略垂直状態で取付ける取付けプレート４１の下端部に、この取付けプレート４１から前方に向けて水平状態で突出し、商品収納袋Ａの底部を支持する底板４２を設け、この底板４２の先端部に起立状態から前方に伏倒可能な前側障壁部材４３を枢着し、前記底板４２上の両側端部に、前側障壁部材４３の起伏回動に連動して作動するリンク機構４４を設け、このリンク機構４４と前側障壁部材４３の間に前側障壁部材４３を起立位置に復帰させるためのスプリングが張設されている。
【００４８】
上記底板４２は、商品収納袋Ａの幅よりも少し長い横長の矩形状となり、両側の端部には背の低い立ち上がり壁４５が設けられている。
【００４９】
上記前側障壁部材４３は、両側に位置する支持杆４６の間に複数本の回転軸４７を同一平面で平行状に架設して形成され、両支持杆４６の下端部が底板４２の先端部下面で両側に設けた軸受４８に軸４９で枢止され、底板４２の先端で軸４９を支点にして起伏回動自在になっている。
【００５０】
この前側障壁部材４３の起伏回動に連動して作動するリンク機構４４は、上端側に設けた長さ方向の長孔５０を取付けプレート４１に固定した支持軸５１に嵌合し、この支持軸５１を支点とする回動と長さ方向への移動が可能となる揺動リンク５２と、一端を前記揺動リンク５２の下端寄りの途中にピン５３で枢止し、他端を前側障壁部材４３における支持杆４６の上端部にピン５４で枢止し、前側障壁部材４３の起伏回動で揺動リンク５２を前後に揺動させる連杆５５とで形成され、前記揺動リンク５２の下端部に底板４２上を前後方向に転動するローラ５６が設けられている。
【００５１】
上記した両側の揺動リンク５２は、その下端部に枢止連結した側杆５７と、底板４２上を前後に移動可能となるよう両側杆５７の後端を連結する接続杆５８で連動され、両側の揺動リンク５２が同調し、かつ、その間隔を一定に保ちながら、ふらつきなく直線的に前後揺動するようしている。
【００５２】
前記スプリングは、前側障壁部材４３における支持杆４６と連杆５５の枢止部のピン５４に一端を係止し、他端を揺動リンク５２の途中で連杆５５との枢止点よりも上部の位置に係止して緊張させた引き戻しスプリング５９と、前側障壁部材４３における支持杆４６の途中に一端を係止し、他端を揺動リンク５２と連杆５５の枢止部のピン５３に係止した緩衝用スプリング６０の組み合わせによって形成され、前記引き戻しスプリング５９は、揺動リンク５２と支持杆４６を互に引き寄せることによって、前側障壁部材４３を起立位置に保持すると共に、伏倒した前側障壁部材４３を起立位置に戻す作用を行う。
【００５３】
また、緩衝用スプリング６０は、前側障壁部材４３の伏倒時に、前側障壁部材４３における支持杆４６の途中と揺動リンク５２の連杆５５との枢止部間で引き伸ばされ、揺動リンク５２に対する作用点が揺動リンク５２と連杆５５の枢止点にあることで、引き戻しスプリング５９による前側障壁部材４３の起立位置への復帰力を緩衝し、前側障壁部材４３を起立位置に緩速で戻るようにする。
【００５４】
上記取付けプレート４１には、両側の位置に上下方向に長孔状の取り付け孔６１が上下に複数並べて設けられ、袋取り付け機構２４における両矩形状枠体２６、２６の外側縦棧の下端部寄りに設けた掛け吊りフック６２に、前記取付け孔６１を係止することにより、袋底部支持装置２５が取り付けられ、取付け孔６１の位置を選ぶことにより、商品収納袋Ａの条件に応じて袋底部支持装置２５の取り付け高さを変化させることができる。
【００５５】
図示の場合、上記袋取り付け機構２４は、商品収納袋Ａのサイズに合わせ、両側掛け吊り軸２７、２７の間隔が異なり、また、袋底部支持装置２５の大きさの異なるものを三種類用意し、これを支柱２３の外周に取り付けるようにしてある。
【００５６】
また、上記各袋取り付け機構２４において、大型の商品収納袋Ａを掛け吊りする袋取り付け機構２４には、両側掛け吊り軸２７、２７の外側位置に、提げ手部７を袋内に落ち込まないように保持するための弾性保持環６３、６３が着脱自在に配置されている。
【００５７】
この弾性保持環６３、６３は、弾性帯状体を用い、その一方端部に設けた筒状部を矩形状枠体２６、２６の上方部分に取付け、提げ手部７に設けた保持用孔１４に挿通した状態で他方の端部を筒状部に抜き差し可能となるよう抜け止め係止することにより環状になり、商品収納袋Ａを掛け吊った状態で提げ手部７、７を袋内に落ち込まないように保持することになる。
【００５８】
この発明の袋底部支持装置２５は、上記のような構成であり、商品収納袋Ａの取り出し機２１をスーパマーケットやドラッグストアー等での、商品の会計カウンター部分でオペレータの作業範囲の最近傍に設置し、この取り出し機２１における袋取り付け機構２４に該当する大きさの商品収納袋Ａを多数枚重ね合わせた状態で吊り下げ状に取り付けると共に、袋取り付け機構２４の下部位置に袋底部支持装置２５を取付け、吊り下げた商品収納袋Ａの下部を底板４２で支持する。
【００５９】
この状態で、会計のオペレータにより顧客の買い上げた商品を直接商品収納袋Ａに入れる方式を実行するには、先ず、会計のオペレータは、最も手前に位置する商品収納袋Ａの引き用つまみ片１７を指先で摘んで擦るようにすることで、二枚の引き用つまみ片１７を剥離させ、この後、図１０ように、表シート２の引き用つまみ片１７だけを指先で摘んで手前側に引くと、この引っ張り力で舌片８の途中に設けた切れ目線１２が破断し、舌片８は広幅部８ａと上端の狭幅部８ｂに分断され、狭幅部８ｂは後部の掛け吊り軸２８に残った状態となり、これによって、表シート２は後部の掛け吊り軸２８から遊離して手前側に移動する。
【００６０】
図１０のように、上記商品収納袋Ａの裏シート３には手前側への引っ張り力が加わらないので、この裏シート３に設けた舌片８の吊り下げ用の孔１０は、後部の掛け吊り軸２８に嵌挿した状態のまま残り、従って、裏シート３に対して表シート２の上部は手前側に大きく引き出される。
【００６１】
この表シート２の手前側への引き出し時に、表シート２の上部両側に設けた吊り下げ用の孔９、９は手前側に引かれ、掛け吊り軸２７、２７の先端立ち上がり部分で抵抗を受けるが、かまわず更に手前側へ引っ張る力を加えれば、この引っ張り力で切れ目線１１が破断し、吊り下げ用の孔９、９が掛け吊り軸２７、２７から離脱することで、表シート２の上部は掛け吊り軸２７、２７からも遊離し、これによって、表シート２の上部は手前側に大きく移動し、商品収納袋Ａの口部６は大きく開口することになる。
【００６２】
この時、表シート２の手前側への引き出しにより、両側の提げ手部７、７は手前側に広げられることになって握り孔１３が広がり、商品収納袋Ａを取り外す場合の、横方向からこの握り孔１３への指先の挿入が簡単に行えることになる。
【００６３】
このように、表シート２の引き用つまみ片１７を指先で摘んで手前に引くだけで、商品収納袋Ａは口部６が手前側に大きく開くことになり、口部６の開き作業が片手で行えることになる。
【００６４】
上記の引き用つまみ片１７を指先で摘む場合に、引き用つまみ片１７に、指先での挟持による単シート確認部１８を設けたので、指先がよく接触している感触の場合は引き用つまみ片１７の上側の一枚のみを挟んでいることが確認でき、また、指先の密着接触する感触が得られない場合は二枚又はそれ以上の引き用つまみ片１７を挟んでいることが確認できるので、二枚の引き用つまみ片１７を同時に引っ張るようなことがなくなり、引き用つまみ片１７の上側の一枚だけを引っ張ることができることになり、商品収納袋Ａの口部６を片手で確実に手前へ開くことができる。
【００６５】
上記のように、商品収納袋Ａの口部６が開くと、会計のオペレータは、購入者がレジカウンターに持ち込んだ商品Ｂを計算したものから順に、直接この商品収納袋Ａ内に収納していけばよく、商品収納袋Ａの下端部は底板４２で支持されるので、収納した商品Ｂの重量は底板４２で受けることになり、掛け吊り軸２７、２７と２８に掛け吊りされている裏シート３には引き下げ荷重がかからないので、掛け吊り軸２７、２７と２８に対する裏シート３の掛け吊り状態が維持され、商品Ｂの収納によって商品収納袋Ａが掛け吊り軸２７、２７と２８から脱落して商品収納作業を妨げたりするようなことはない。
【００６６】
また、袋底部支持装置２５は、底板４２の周囲に、取付けプレート４１と前側障壁部材４３及び両側のリンク機構４４が枠状の配置となり、これによって、商品収納袋Ａに投入した商品Ｂの周囲を保持することができ、上下に長いペットボトル容器に入った商品Ｂを複数本収納しようとした場合にも倒れるようなことなく、商品収納袋Ａに商品Ｂを縦の姿勢で整列して収納することができることになる。
【００６７】
図６のように、購入者が購入した商品Ｂの全てを会計のオペレータが商品収納袋Ａに収納して費用の清算が終了すると、両側提げ手部７、７の握り孔１３それぞれに手の指先を挿入して両側提げ手部７、７を握り、この両側提げ手部７、７を手前に引くようにすると、この引っ張り力で裏シート３の舌片８に設けた切れ目線１２が破断し、舌片８は広幅部８ａと上端の狭幅部８ｂに分断され、狭幅部８ｂは掛け吊り軸２８に残った状態となり、後部の掛け吊り軸２８から裏シート３が離脱する。
【００６８】
これと同時に、裏シート３の上部両側に設けた吊り下げ用の孔９、９は、掛け吊り軸２７、２７の先端立ち上がり部分に引っ掛かって停止しているところを、掛け吊り軸２７、２７に対して手前側に引かれることになり、この引っ張り力で切れ目線１１が破断し、吊り下げ用の孔９、９が掛け吊り軸２７、２７から離脱する。これで、裏シート３の上部は掛け吊り軸２７、２７からも遊離し、商品収納袋Ａを掛け吊り軸２７、２７と２８及び弾性保持環６３、６３から完全に取り外すことができることになる。
【００６９】
このようにして、掛け吊り軸２７、２７と２８から取り外した商品収納袋Ａは、上端の口部６を閉じて粘着テープ等で封をし、両側提げ手部７、７を握って手前側に引出すと、図７のように、前側障壁部材４３が商品Ｂで押し倒されて伏倒し、商品収納袋Ａを大きな重量がかかる真上方向に持ち上げることなく、袋底部支持装置２５内から商品Ｂの入った商品収納袋Ａを取り出すことができる。
【００７０】
このとき、前側障壁部材４３は、両側の支持杆４６に複数本の回転軸４７を平行状に架設して形成されているので、商品Ｂを収納した商品収納袋Ａを手前に取出す時に、商品収納袋Ａの移動に伴って回転軸４７が回転することになり、袋取り出し時の摩擦による抵抗が少なくなり、袋Ａの取り出しが円滑に行える。
【００７１】
また、前側障壁部材４３が伏倒すると、図７のように、連杆５５を介して揺動リンク５２の下部が前方に引かれ、揺動リンク５２が前方に傾動し、引き戻しスプリング５９が引き伸ばされて弾性を蓄積し、同時に緩衝用スプリング６０も少し引き伸ばされる。
【００７２】
商品を収納した商品収納袋Ａが前側障壁部材４３の上から手前に取出されると、前側障壁部材４３は引き戻しスプリング５９の収縮力によって引き起こされ、揺動リンク５２が後方に移動して前側障壁部材４３が起立状態に戻ることになり、これで、前記袋底部支持装置２５内から取り出した商品Ｂの入った商品収納袋Ａを購入者に手渡せるようになる。
【図面の簡単な説明】
【００７３】
【図１】袋底部支持装置の全体構造を示す斜視図
【図２】袋底部支持装置の要部構造を示す斜視図
【図３】袋底部支持装置の正面図
【図４】袋底部支持装置と商品収納袋の取り出し機の分解斜視図
【図５】袋底部支持装置を商品収納袋の取り出し機に取付けた正面図
【図６】袋底部支持装置を商品収納袋の取り出し機に取付けた商品収納状態の縦断側面図
【図７】袋底部支持装置を商品収納袋の取り出し機に取付けた商品取り出し状態の縦断側面図
【図８】（Ａ）は商品収納袋の正面図、（Ｂ）は同底面図
【図９】商品収納袋の取り出し機に商品収納袋を掛け吊った状態を示す斜視図
【図１０】商品収納袋の取り出し機に商品収納袋を掛け吊って口部を開いた状態を示す斜視図
【符号の説明】
【００７４】
Ａ        商品収納袋
１        折り込み部
２        表シート
３        裏シート
４        底部
５        切り欠き
６        口部
７        提げ手部
８        舌片
８ａ      広幅部
８ｂ      狭幅部
９        吊り下げ用の孔
１０      吊り下げ用の孔
１１      切れ目線
１２      切れ目線
１３      握り孔
１４      保持用孔
１５      切れ目線
１６      Ｕ字状の切れ目
１７      引き用つまみ片
１８      単シート確認部
２１      商品収納袋の取り出し機
２２      ベース台
２３      支柱
２４      袋取り付け機構
２５      袋底部支持装置
２６      矩形状枠体
２７      掛け吊り軸
２８      掛け吊り軸
３０      受け板
３１      蓋板
３２      フック部
３３      スプリング
３４      スプリング
３５      切り欠き
３６      孔
３７      孔
３８      切り欠き
３９      嵌合孔
４０      筒状キャップ
４１      取付けプレート
４２      底板
４３      前側障壁部材
４４      リンク機構
４５      立ち上がり壁
４６      支持杆
４７      回転軸
４８      軸受
４９      軸
５０      長孔
５１      支持軸
５２      揺動リンク
５３      ピン
５４      ピン
５５      連杆
５６      ローラ
５７      側杆
５８      接続杆
５９      引き戻しスプリング
６０      緩衝用スプリング
６１      取り付け孔
６２      掛け吊りフック
６３      弾性保持環
【図１】
2006082819.tif 000003
【図２】
2006082819.tif 000004
【図３】
2006082819.tif 000005
【図４】
2006082819.tif 000006
【図５】
2006082819.tif 000007
【図６】
2006082819.tif 000008
【図７】
2006082819.tif 000009
【図８】
2006082819.tif 000010
【図９】
2006082819.tif 000011
【図１０】
2006082819.tif 000012